(57)【特許請求の範囲】
【請求項１】
表示装置に予め記憶されている画像を表示して行う単体キャリブレーションと、
外部装置から入力された画像信号に基づく画像を表示して行う連携キャリブレーションと、
を実行可能な表示装置であって、
所定のタイミングで前記単体キャリブレーションと前記連携キャリブレーションとを実行する実行手段と、
外部装置からの画像信号の入力の有無を判定する判定手段と、
を有し、
前記実行手段は、前記所定のタイミングで前記連携キャリブレーションを実行できなかった場合に、前記判定手段で外部装置からの画像信号の入力が有ると判定されている期間に、前記連携キャリブレーションを実行する
ことを特徴とする表示装置。
【請求項２】
前記実行手段は、前記単体キャリブレーションと前記連携キャリブレーションとを実行する定期キャリブレーションを定期的に行う
ことを特徴とする請求項１に記載の表示装置。
【請求項３】
前記実行手段は、前記所定のタイミングで前記連携キャリブレーションを実行できなかった場合に、前記判定手段で外部装置からの画像信号の入力が有ると判定されたタイミングで、前記連携キャリブレーションを実行する
ことを特徴とする請求項１または２に記載の表示装置。
【請求項４】
前記実行手段は、前記所定のタイミングで前記連携キャリブレーションを実行できなかった場合に、外部装置からの画像信号に基づく画像を表示するユーザ操作に応じて前記連携キャリブレーションを実行する
ことを特徴とする請求項１または２に記載の表示装置。
【請求項５】
前記実行手段は、前記所定のタイミングで前記単体キャリブレーションと前記連携キャリブレーションとを実行する際に、現在時刻と、最後に前記連携キャリブレーションを実
行した時刻との差が所定時間以上である場合には、前記単体キャリブレーションのみを実行する
ことを特徴とする請求項１〜４のいずれか１項に記載の表示装置。
【請求項６】
前記実行手段は、他の装置からの指示に応じて、前記単体キャリブレーションと前記連携キャリブレーションとを実行する
ことを特徴とする請求項１〜５のいずれか１項に記載の表示装置。
【請求項７】
表示装置に予め記憶されている画像を表示して行う単体キャリブレーションと、
外部装置から入力された画像信号に基づく画像を表示して行う連携キャリブレーションと、
を実行可能な表示装置の制御方法であって、
所定のタイミングで前記単体キャリブレーションと前記連携キャリブレーションとを実行する実行ステップと、
外部装置からの画像信号の入力の有無を判定する判定ステップと、
を有し、
前記実行ステップでは、前記所定のタイミングで前記連携キャリブレーションを実行できなかった場合に、前記判定ステップで外部装置からの画像信号の入力が有ると判定されている期間に、前記連携キャリブレーションを実行する
ことを特徴とする表示装置の制御方法。
【請求項８】
前記実行ステップでは、前記単体キャリブレーションと前記連携キャリブレーションとを実行する定期キャリブレーションを定期的に行う
ことを特徴とする請求項７に記載の表示装置の制御方法。
【請求項９】
前記実行ステップでは、前記所定のタイミングで前記連携キャリブレーションを実行できなかった場合に、前記判定ステップで外部装置からの画像信号の入力が有ると判定されたタイミングで、前記連携キャリブレーションを実行する
ことを特徴とする請求項７または８に記載の表示装置の制御方法。
【請求項１０】
前記実行ステップでは、前記所定のタイミングで前記連携キャリブレーションを実行できなかった場合に、外部装置からの画像信号に基づく画像を表示するユーザ操作に応じて前記連携キャリブレーションを実行する
ことを特徴とする請求項７または８に記載の表示装置の制御方法。
【請求項１１】
前記実行ステップでは、前記所定のタイミングで前記単体キャリブレーションと前記連携キャリブレーションとを実行する際に、現在時刻と、最後に前記連携キャリブレーションを実行した時刻との差が所定時間以上である場合には、前記単体キャリブレーションのみを実行する
ことを特徴とする請求項７〜１０のいずれか１項に記載の表示装置の制御方法。
【請求項１２】
前記実行ステップでは、他の装置からの指示に応じて、前記単体キャリブレーションと前記連携キャリブレーションとを実行する
ことを特徴とする請求項７〜１１のいずれか１項に記載の表示装置の制御方法。 
【発明の詳細な説明】
【技術分野】
【０００１】
本発明は、表示装置及びその制御方法に関する。
【背景技術】
【０００２】
高精細の医用モニタ（医用画像表示用の表示装置）は、一般に、ＰＣ（パーソナルコンピュータ）などの外部装置から出力された医用画像を表示する。しかし、今後は、医用モニタが高機能化し、医用画像をモニタ単体で簡易表示できる医用モニタが開発されることが予想される。また、そのような医用モニタとして、持ち運び可能なモニタ（表示装置）が開発されることが予想される。このような医用モニタを利用すれば、通常の読影を高機能なＰＣ（ＰＣ内に記憶されているソフトフェア）とモニタを用いて行い、患者への説明等をモニタのみを用いて（医用画像をモニタ単体で簡易表示して）行うことが可能になる。また、そのような医用モニタが画像表示のためにネットワークに接続されることが予想される。また、従来はＰＣで行われていたキャリブレーションのスケジュール設定やネットワーク経由でのキャリブレーションの実行指示の受信を、モニタで行うことが可能となることが予想される。
【０００３】
上述のようなモニタの場合、表示する画像の見え方（表示特性）を目標値に一致させる必要がある。ところが、ＰＣから入力された画像（以下、外部入力画像）は、ＰＣに設けられたグラフィックボードの特性やＰＣ内での処理（例えば、ＰＣ内で行われる画像処理）によって、変化することがある。即ち、同じ画像であっても、外部入力画像とモニタ単体で表示する画像（単体表示画像）とでは、表示特性が異なることがある。そのため、表示特性のキャリブレーションとして、外部入力画像の表示特性のキャリブレーション（以下、連携キャリブレーション）と、単体表示画像の表示特性のキャリブレーション（以下、単体キャリブレーション）を行う必要がある。
【０００４】
キャリブレーションに関する従来技術は、例えば、特許文献１，２に開示されている。具体的には、特許文献１には、ソフトキャリブレーションの結果をデバイスキャリブレーションの結果に基づいて修正する技術が開示されている。ソフトキャリブレーションは、プリンタの印刷結果をスキャナで読み取ることにより得られたデータに基づいて行われるものである。デバイスキャリブレーションは、プリンタ内で自動的に行われるものであり、感光ドラム上に形成された潜像の電位や、トナー像の濃度に基づいて行われるものである。
特許文献２には、液晶表示部に対向して設けられた測光部で測光し、測光結果と所定の理想値との差分値に基づいてキャリブレーションを行う技術が開示されている。
【０００５】
また、医用モニタの品質管理に関するガイドラインによると、モニタに対して定期的に不変性検査を行い、その結果不合格になった場合（モニタの表示特性の不変性が損なわれている場合）にキャリブレーションを行うことが求められている。そのため、医用モニタを予め設定したスケジュールに基づいて自動的にキャリブレーションするためのソフトウェアや、ネットワーク経由で医用モニタのキャリブレーションを実行するためのソフトウェアが販売されている。
【先行技術文献】
【特許文献】
【０００６】
【特許文献１】特開２００２−０５７９１１号公報
【特許文献２】特開２００５−２０８５４８号公報
【発明の概要】
【発明が解決しようとする課題】
【０００７】
しかしながら、モニタとＰＣが接続されていなければ、連携キャリブレーションを行うことはできない。そのため、設定したスケジュールに応じたタイミングやネットワークからの指示に応じたタイミングで連携キャリブレーションを実行できないことがある。即ち、外部入力画像の表示特性を目標値に一致させることができず、外部入力画像と単体表示画像とで表示特性が異なってしまうことがある。
【０００８】
本発明は、外部装置から入力された画像信号に基づく画像とモニタ単体で表示する画像との表示特性を適切なタイミングでキャリブレーションし、それらの画像間で表示特性が異なってしまうことを抑制することのできる技術を提供することを目的とする。
【課題を解決するための手段】
【０００９】
本発明の表示装置は、
表示装置に予め記憶されている画像を表示して行う単体キャリブレーションと、
外部装置から入力された画像信号に基づく画像を表示して行う連携キャリブレーションと、
を実行可能な表示装置であって、
所定のタイミングで前記単体キャリブレーションと前記連携キャリブレーションとを実行する実行手段と、
外部装置からの画像信号の入力の有無を判定する判定手段と、
を有し、
前記実行手段は、前記所定のタイミングで前記連携キャリブレーションを実行できなかった場合に、前記判定手段で外部装置からの画像信号の入力が有ると判定されている期間に、前記連携キャリブレーションを実行する
ことを特徴とする。 
【００１０】
本発明の表示装置の制御方法は、
表示装置に予め記憶されている画像を表示して行う単体キャリブレーションと、
外部装置から入力された画像信号に基づく画像を表示して行う連携キャリブレーションと、
を実行可能な表示装置の制御方法であって、
所定のタイミングで前記単体キャリブレーションと前記連携キャリブレーションとを実行する実行ステップと、
外部装置からの画像信号の入力の有無を判定する判定ステップと、
を有し、
前記実行ステップでは、前記所定のタイミングで前記連携キャリブレーションを実行できなかった場合に、前記判定ステップで外部装置からの画像信号の入力が有ると判定されている期間に、前記連携キャリブレーションを実行する
ことを特徴とする。
【発明の効果】
【００１１】
本発明によれば、外部装置から入力された画像信号に基づく画像とモニタ単体で表示する画像との表示特性を適切なタイミングでキャリブレーションし、それらの画像間で表示特性が異なってしまうことを抑制することができる。
【図面の簡単な説明】
【００１２】
【図１】実施例１に係る表示システムの一例
【図２】実施例１に係る表示装置のハードウェアブロック図の一例
【図３】実施例１に係る表示装置の機能ブロック図の一例
【図４】実施例１に係るキャリブレーション設定情報設定処理の流れの一例
【図５】実施例１に係る設定ウィンドウの一例
【図６Ａ】実施例１に係る定期キャリブレーション実行処理の流れの一例
【図６Ｂ】実施例１に係る定期キャリブレーション実行処理の流れの一例
【図７】実施例１に係る単体キャリブレーションの流れの一例
【図８】実施例１に係る連携キャリブレーションの流れの一例
【図９】実施例１に係る不定期キャリブレーション実行処理の流れの一例
【図１０】実施例１に係るキャリブレーション実行時における表示画像の一例
【図１１】実施例１に係る確認ウィンドウの一例
【図１２】実施例２に係る表示装置の機能ブロック図の一例
【図１３】実施例２に係る定期キャリブレーション実行処理の流れの一例
【図１４】実施例２に係る連携キャリブレーションの流れの一例
【図１５】実施例３に係る表示システムの一例
【図１６】実施例３に係る表示装置のハードウェアブロック図の一例
【図１７】実施例３に係る表示装置の機能ブロック図の一例
【図１８】実施例３に係るキャリブレーション実行要求画像の一例
【図１９】実施例３に係る定期キャリブレーション実行処理の流れの一例
【発明を実施するための形態】
【００１３】
以下、本発明の実施例１に係る表示装置及びその制御方法について説明する。本実施例に係る表示装置は、単体キャリブレーションと連携キャリブレーションを実行可能である。単体キャリブレーションは、表示装置に予め記憶されている画像を表示して行うものである。連携キャリブレーションは、外部装置から入力された画像信号に基づく画像を表示して行うものである。以下では、外部装置がＰＣ（パーソナルコンピュータ）である場合について説明するが、外部装置はこれに限らない。外部装置は、表示装置に画像信号を出力するものであればよく、例えば、ハードディスクレコーダ、ブルーレイレコーダ、外部出力可能な表示装置、ゲーム機などであってもよい。また、以下では、キャリブレーションを実行する際に表示する画像がパッチ画像である場合について説明するが、キャリブレーションを実行する際に表示する画像はパッチ画像に限らない。キャリブレーションを実行する際に表示する画像は、例えば、所定のパターン画像などであってもよい。
【００１４】
＜実施例１＞
図１は、本発明の実施例１に係る表示システムの一例を示す図である。図１に示すように、本実施例に係る表示システムは、表示装置１００（モニタ）、ＰＣ１０１、画像サーバ１０３を有する。
表示装置１００とＰＣ１０１は、画像ケーブル１０２を用いて互いに接続される。画像ケーブル１０２は、例えば、ＤＶＩ（登録商標）またはＤｉｓｐｌａｙＰｏｒｔ（登録商標）規格に準拠したケーブルであり、画像信号と、ＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）に基づいた信号を伝送可能なケーブルである。
また、表示装置１００とＰＣ１０１は、ネットワークケーブル１０４を用いて、画像サーバ１０３に接続されている。
【００１５】
表示装置１００は、入力された画像信号や画像ファイルデータに基づく画像を表示する。例えば、表示装置１００は、ＰＣ１０１から出力された画像信号に基づく画像（外部入力画像）を表示する。また、表示装置１００は、ユーザ操作に基づいて、画像サーバ１０３から画像ファイルデータ（ＪＰＥＧ、ＲＡＷ形式等の画像ファイルデータ）を取得する。そして、表示装置１００は、取得した画像ファイルデータをデコード処理し、該画像ファイルデータに基づく画像（単体表示画像）を表示する。
また、表示装置１００は、ＰＣ１０１にパッチ送信要求信号などの制御信号を送信する
。パッチ送信要求信号は、パッチ画像の信号（外部パッチ信号）の送信の要求を示す信号である。
ＰＣ１０１は、表示装置１００からのパッチ送信要求信号に応じて、外部パッチ信号と、外部パッチ信号の送信の完了を示す信号（パッチ送信完了信号）などの応答信号とを、表示装置１００に送信する。なお、外部パッチ信号の送信が完了した時点で、表示装置１００には該外部パッチ信号に基づくパッチ画像（外部パッチ画像）が完全に表示される。そのため、パッチ送信完了信号は、外部パッチ画像の表示の完了を示す信号とも言える。また、ＰＣ１０１は、ユーザ操作に基づいて、画像サーバ１０３から画像ファイルデータ（ＪＰＥＧ、ＲＡＷ形式等の画像ファイルデータ）を取得する。そして、ＰＣ１０１は、取得した画像ファイルデータをデコード処理して画像信号を生成し、必要に応じて所定の処理を施して、表示装置１００に出力する。
【００１６】
図２（Ａ）は、表示装置１００のハードウェアブロック図の一例である。図２（Ｂ）は、表示装置１００の、輝度・色度センサ２１０近傍の断面（画面に垂直な面によって得られる断面）の一例を示すイメージ図である。
ＣＰＵ２０１は、不揮発性メモリ２０３から各種制御を行うためのプログラムを読み込み、内部バス２１３に接続された各構成ブロックの制御を行う。
例えば、ＣＰＵ２０１は、不揮発性メモリ２０３に記録されたキャリブレーション設定情報に基づいて定期的に単体キャリブレーション及び連携キャリブレーションを実行する定期キャリブレーションを行う。単体キャリブレーション及び連携キャリブレーションの詳細については後述する。キャリブレーション設定情報は、目標値（目標最大輝度値、目標階調カーブ）、定期キャリブレーションの実行スケジュールを表す情報を含む情報である。
また、ＣＰＵ２０１は、ユーザ操作によってキャリブレーション設定情報が設定された場合に、設定されたキャリブレーション設定情報を不揮発性メモリ２０３に記録（上書き）する。ユーザは、例えば、タッチパネル２１１を用いて表示装置１００を操作する。
また、ＣＰＵ２０１は、ユーザ操作に基づいて画像表示アプリケーション（画像ビューワなど）を実行する。
また、ＣＰＵ２０１は、画像表示アプリケーションに対するユーザ操作に基づいて、ネットワーク通信回路２１２を介して、画像サーバ１０３から画像ファイルデータを取得、デコード処理して画像信号（単体表示画像信号）を生成する。そして、ＣＰＵ２０１は、生成した単体表示画像信号を、必要に応じて画像処理等を適用し、画像処理回路２０５に出力する。具体的には、単体表示画像信号に基づく画像（単体表示画像）と、画像表示アプリケーションの画像とを含む画像を表す画像信号が生成され、画像処理回路２０５に出力される。
【００１７】
メモリ２０２は、ＣＰＵ２０１の処理に用いるデータを一時的に記憶する。
不揮発性メモリ２０３は、ＣＰＵ２０１が使用するプログラム、バックライト発光パラメータ、画質調整パラメータ、キャリブレーション設定情報などを記憶する。バックライト発光パラメータは、画像を表示する際のバックライト輝度値などである。画質調整パラメータは、画像処理回路２０５で画像処理を行う際に用いられるルックアップテーブルなどである。
なお、本実施例では、単体表示画像の表示特性のキャリブレーション（単体キャリブレーション）と、外部入力画像の表示特性のキャリブレーション（連携キャリブレーション）とが、個別に実行される。そのため、本実施例では、バックライト発光パラメータ及び画質調整パラメータとして、単体表示画像用のパラメータと外部入力画像用のパラメータの２種類が生成され、不揮発性メモリ２０３に記録される。
なお、単体表示画像と外部入力画像とで元の画像ファイルデータが同じであっても、外部入力画像の信号にはＰＣ内にて所定の処理が施されている場合があるため、単体表示画像と外部入力画像の表示特性は必ずしも一致しない。そのため、上記単体キャリブレーシ
ョンを実行しただけでは、単体表示画像と外部入力画像の表示特性を一致させることができないことがある。本実施例で単体キャリブレーションと連携キャリブレーションとを実行するのは、そのためである。
なお、単体キャリブレーション時に用いるパッチ画像と連携キャリブレーション時に用いるパッチ画像は同一であることが好ましい。表示装置１００およびＰＣ１０１は、それぞれ画像サーバ１０３から同一のパッチ画像を取得するようにしてもよい。表示装置１００が有しているパッチ画像と同一のパッチ画像をＰＣ１０１が有していない場合は、表示装置１００からＰＣ１０１へパッチ画像を送信するようにしてもよい。
【００１８】
画像入力回路２０４は、ＰＣ１０１から画像信号（外部入力画像信号（外部パッチ信号を含む））を受信し、画像処理回路２０５に出力する。また、画像入力回路２０４は、制御信号をＰＣ１０１に送信し、ＰＣ１０１から受信した応答信号をＣＰＵ２０１に出力する。
画像処理回路２０５は、不揮発性メモリ２０３に記録された画質調整パラメータに基づいて、画像入力回路２０４及びＣＰＵ２０１から受信された画像信号に画像処理を適用し、画像処理が適用された画像信号を液晶表示デバイス２０６に出力する。
【００１９】
液晶表示デバイス２０６は、複数の液晶素子を有する液晶パネルであり、画像処理回路２０５から受信した画像信号に基づいて各液晶素子の透過率を制御する。
バックライト制御回路２０７は、不揮発性メモリ２０３に記録されたバックライト発光パラメータに基づいて、バックライト２０８の発光輝度を制御するバックライト制御信号を生成し、出力する。
バックライト２０８は、バックライト制御回路２０７から受信したバックライト制御信号に基づいて発光する。
バックライト２０８からの光が液晶表示デバイス２０６の液晶素子を透過することにより、画像が表示される。
【００２０】
センサ制御回路２０９は、ＣＰＵ２０１から受信した測定要求信号に応じて輝度・色度センサ２１０を制御するセンサ制御信号を出力し、輝度・色度センサ２１０で測定された輝度及び色度をＣＰＵ２０１に出力する。測定要求信号は、輝度及び色度の測定の要求を示す信号である。
輝度・色度センサ２１０は、センサ制御回路２０９からのセンサ制御信号の受信に応じて輝度及び色度の測定を開始し、測定結果をセンサ制御回路２０９に出力する。輝度・色度センサ２１０は、例えば、図２（Ｂ）に示すように、画面（液晶素子）に対向するように設けられ、画面上の輝度及び色度を測定する。
【００２１】
タッチパネル２１１は、ユーザ操作を受け付け、該ユーザ操作に応じた信号をＣＰＵ２０１に通知する。
ネットワーク通信回路２１２は、画像サーバ１０３に画像送信要求信号を送信し、画像ファイルデータを受信する。
液晶表示装置１００の各構成ブロックは、内部バス２１３を介してデータ通信を行う。
【００２２】
図３は、表示装置１００の機能ブロック図である。
ＵＩ部３０１は、ユーザがキャリブレーション設定情報の設定を開始する操作を行うと、現在のキャリブレーション設定情報をキャリブレーション設定管理部３０２から取得する。そして、ＵＩ部３０１は、キャリブレーション設定情報を設定するためのウィンドウ（設定ウィンドウ）の信号を生成し、出力する。それにより、設定ウィンドウが表示される。その後、ユーザが、必要に応じてキャリブレーション設定情報を変更し、キャリブレーション設定情報を確定する操作を行うと、ＵＩ部３０１は、確定されたキャリブレーション設定情報をキャリブレーション設定管理部３０２に出力する。
また、ユーザが単体表示画像を表示する操作を行うと、ＵＩ部３０１は、画像サーバ１０３から画像ファイルデータを取得し、単体表示画像信号を出力するよう、単体表示画像表示制御部３１２を制御する。
また、ＵＩ部３０１は、ユーザ操作に応じて、表示制御部３０６に切り替え要求信号を出力する。切り替え要求信号は、表示画像の切り替えの要求を示す信号である。本実施例では、切り替え要求信号に応じて、表示画像が、画像入力部３０９からの外部入力画像信号に基づく外部入力画像と、単体表示画像表示制御部３１２からの単体表示画像信号に基づく単体表示画像との間で切り替えられる。なお、切り替え要求信号に応じて、表示画像が、単体表示画像と外部入力画像以外の画像に切り替えられてもよい。
【００２３】
キャリブレーション設定管理部３０２は、ＵＩ部３０１またはキャリブレーション実行制御部３０３からの要求に応じて、不揮発性メモリ２０３からキャリブレーション設定情報を読み込み、該要求の送信元に出力する。また、ＵＩ部３０１から送信されるキャリブレーション設定情報を、不揮発性メモリ２０３に記録（上書き）する。
【００２４】
キャリブレーション実行制御部３０３は、キャリブレーション設定管理部３０２からキャリブレーション設定情報を取得する。そして、キャリブレーション実行制御部３０３は、定期的に（本実施例では、ユーザが設定したスケジュールに従って）単体キャリブレーションと連携キャリブレーションを実行する定期キャリブレーションを行う。その際、キャリブレーション実行制御部３０３は、入力有無検出部３１１から取得した入力有無情報に基づいて連携キャリブレーションを実行するか否か判定する。入力有無情報は、外部入力画像信号の入力の有無を示す信号（入力有無検出部３１１での、外部入力画像信号が入力されているか否かの判定結果）である。キャリブレーション実行制御部３０３は、定期キャリブレーションを行う際に、ＰＣ１０１からの外部入力画像信号の入力が無いと判定されている場合には、単体キャリブレーションのみを実行する。キャリブレーション実行制御部３０３は、定期キャリブレーションを行う際に、ＰＣ１０１からの外部入力画像信号の入力が有ると判定されている場合には、単体キャリブレーションと連携キャリブレーションの両方を実行する。
【００２５】
また、キャリブレーション実行制御部３０３は、定期キャリブレーションで単体キャリブレーションのみを実行した場合に、次の定期キャリブレーションより前の、外部入力画像信号の入力が有ると判定されている期間に、連携キャリブレーションを実行する。具体的には、キャリブレーション実行制御部３０３は、入力有無検出部３１１から入力検出信号を受信すると、キャリブレーション結果管理部３０５から取得した単体キャリブレーション実行済みフラグに基づいて連携キャリブレーションを実行するか否かを判定する。入力検出信号は、外部入力画像信号が入力されたことを示す信号（入力有無検出部３１１が外部入力画像信号の入力が有ると判定したタイミングで出力する信号）である。単体キャリブレーション実行済みフラグは、定期キャリブレーションにおいて単体キャリブレーションのみが実行され、連携キャリブレーションが実行されなかった場合にオンとなるフラグである。キャリブレーション実行制御部３０３は、入力有無検出部３１１から入力検出信号を受信すると、単体キャリブレーション実行済みフラグがオンの場合に、連携キャリブレーションを実行する（連携キャリブレーションの実行をユーザに確認する）。
なお、上記２つの判定処理の詳細については後述する。
【００２６】
単体キャリブレーションを実行する場合、キャリブレーション実行制御部３０３は、予め記憶されているパッチ信号（内部パッチ信号）を表示制御部３０６に出力する。それにより、該内部パッチ信号に基づくパッチ画像（内部パッチ画像）が表示される。その際、キャリブレーション実行制御部３０３は、測定要求信号を測色部３０８へ出力する。そして、キャリブレーション実行制御部３０３は、測色部３０８から、輝度・色度センサ２１０の測定結果（表示された内部パッチ画像の輝度及び色度）を取得する。その後、キャリ
ブレーション実行制御部３０３は、取得した輝度及び色度に基づいて画質調整パラメータやバックライト発光パラメータを算出し、表示制御部３０６、バックライト制御部３０７、及び、パラメータ管理部３０４に出力する。また、キャリブレーション実行制御部３０３は、定期キャリブレーションで単体キャリブレーションのみを実行した場合に、キャリブレーション結果管理部３０５に、単体キャリブレーション実行済みフラグ「オン」を出力する。
【００２７】
一方、連携キャリブレーションを実行する場合、キャリブレーション実行制御部３０３は、ＰＣ通信部３１０にパッチ送信要求信号を出力する。それにより、ＰＣ１０１から外部パッチ信号が入力され、外部パッチ画像が表示される。その際、キャリブレーション実行制御部３０３は、測定要求信号を測色部３０８へ出力する。そして、単体キャリブレーションの場合と同様に、キャリブレーション実行制御部３０３は、測色部３０８から輝度・色度センサ２１０の測定結果（表示された外部パッチ画像の輝度及び色度）を取得する。その後、キャリブレーション実行制御部３０３は、取得した輝度及び色度に基づいて画質調整パラメータやバックライト発光パラメータを算出し、表示制御部３０６、バックライト制御部３０７、及び、パラメータ管理部３０４に出力する。
単体キャリブレーション及び連携キャリブレーションの詳細については後述する。
【００２８】
パラメータ管理部３０４は、キャリブレーション実行制御部３０３から受信したバックライト発光パラメータや画質調整パラメータを不揮発性メモリ２０３に書き込む。
キャリブレーション結果管理部３０５は、キャリブレーション実行制御部３０３からの要求に応じて、不揮発性メモリ２０３からの単体キャリブレーション実行済みフラグの読み込みを行う。また、キャリブレーション結果管理部３０５は、キャリブレーション実行制御部３０３からの要求に応じて、不揮発性メモリ２０３への単体キャリブレーション実行済みフラグの書き込み（上書き）を行う。
【００２９】
表示制御部３０６は、画像入力部３０９が出力する外部入力画像信号と単体表示画像表示制御部３１２が出力する単体表示画像信号のいずれかを、切り替え要求信号に応じて選択し、選択した画像信号を画像処理回路２０５に出力する。その際、表示制御部３０６は、画像処理回路２０５に、選択した画像信号に対応する画質調整パラメータを使用する指示を出力し、バックライト制御部３０７に、選択した画像信号に対応するバックライト発光パラメータを使用する指示を出力する。それにより、上記選択された画像信号が画像処理回路２０５で補正され、補正された画像信号に基づく画像が表示される。
また、表示制御部３０６は、ＵＩ部３０１から受信した設定ウィンドウの信号やキャリブレーション実行制御部３０３から受信したパッチ信号を、上記選択した画像信号に合成することにより合成画像信号を生成して、画像処理回路２０５に出力する。合成画像信号は、上記選択された画像信号に基づく画像と、設定ウィンドウやパッチ画像などの画像とが合成された画像を表す画像信号である。
また、表示制御部３０６は、キャリブレーション実行中にキャリブレーション実行制御部３０３から受信された画質調整パラメータを、画像処理回路２０５に出力する。
【００３０】
バックライト制御部３０７は、表示制御部３０６から受信したパラメータ切り替え指示（表示制御部３０６で選択された画像信号に対応するバックライト発光パラメータを使用する指示）をバックライト制御回路２０７に出力する。また、バックライト制御部３０７は、キャリブレーション中にキャリブレーション実行制御部３０３から受信されたバックライト発光パラメータを、バックライト制御回路２０７に出力する。
【００３１】
測色部３０８は、キャリブレーション実行制御部３０３から受信した測定要求信号をセンサ制御回路２０９へ出力する。また、測色部３０８は、キャリブレーション実行制御部３０３からの要求に応じて、センサ制御回路２０９から輝度・色度センサ２１０の測定結
果（輝度及び色度）を取得し、キャリブレーション実行制御部３０３に出力する。
画像入力部３０９は、画像入力回路２０４がＰＣ１０１から受信した外部入力画像信号を表示制御部３０６に出力する。また、画像入力部３０９は、ＰＣ１０１からの外部入力画像信号を検出した場合に、入力有無検出部３１１に入力検出信号を出力する。画像入力部３０９は、ＰＣ１０１からの外部入力画像信号を検出しなくなった場合、入力有無検出部３１１に入力解除信号を出力する。
【００３２】
ＰＣ通信部３１０は、キャリブレーション実行制御部３０３からパッチ送信要求信号が送信されると、画像入力回路２０４を介してＰＣ１０１にパッチ送信要求信号を出力する。また、ＰＣ通信部３１０は、画像入力回路２０４を介してＰＣ１０１からパッチ送信完了信号を受信し、キャリブレーション実行制御部３０３に出力する。
入力有無検出部３１１は、画像入力部３０９から受信した入力検出信号及び入力解除信号に基づいて、ＰＣ１０１からの外部入力画像信号の入力の有無を判定し、判定結果を入力有無情報として記憶する。具体的には、入力有無検出部３１１は、入力検出信号を受信してから入力解除信号するまでの期間に、外部入力画像信号の入力が有ると判定し、それ以外の期間で、外部入力画像信号の入力が無いと判定する。入力有無検出部３１１は、受信した入力検出信号をキャリブレーション実行制御部３０３に出力する。具体的には、入力有無検出部３１１は、外部入力画像信号の入力が有ると判定したタイミングで、入力検出信号を出力する。また、入力有無検出部３１１は、キャリブレーション実行制御部３０３からの要求に応じて入力有無情報を出力する。
【００３３】
単体表示画像表示制御部３１２は、ＵＩ部３０１からの指示に応じて、ネットワーク通信部３１３に画像送信要求信号を出力し、ネットワーク通信部３１３から画像ファイルデータを取得する。単体表示画像表示制御部３１２は、取得した画像ファイルデータをデコードすることにより単体表示画像信号を生成する。そして、単体表示画像表示制御部３１２は、生成した単体表示画像信号を、必要に応じてアイコン等の画像信号の合成処理やユーザが指示した画像処理を施して、表示制御部３０６に出力する。
ネットワーク通信部３１３は、単体表示画像表示制御部３１２からの画像送信要求信号を、ネットワーク通信回路２１２を介して画像サーバ１０３に送信し、画像サーバ１０３から画像ファイルデータを取得する。そして、ネットワーク通信部３１３は、取得した画像ファイルデータを単体表示画像表示制御部３１２に出力する。
【００３４】
なお、図３に示す各機能ブロック（ＵＩ部３０１〜ネットワーク通信部３１３）の処理は、ＣＰＵ２０１により実行される。
【００３５】
図４は、ユーザがキャリブレーション設定情報の設定を開始する操作を行った際の、ＵＩ部３０１の処理（キャリブレーション設定情報設定処理）の流れの一例を示すフローチャートである。
まず、ＵＩ部３０１は、キャリブレーション設定管理部３０２から現在のキャリブレーション設定情報を取得する（Ｓ４０１）。
【００３６】
次に、ＵＩ部３０１は、設定ウィンドウの信号を生成して表示制御部３０６に出力する（Ｓ４０２）。表示制御部３０６は、現在表示されている画像の信号に設定ウィンドウの信号を合成することにより合成画像信号を生成し、出力する。それにより、現在表示されている画像に設定ウィンドウが重畳された画像が表示される。
【００３７】
そして、ユーザは、設定ウィンドウを用いて、必要に応じてキャリブレーション設定情報を変更する操作を行った後、キャリブレーション設定情報の設定を完了する操作を行う（Ｓ４０３）。詳細は後述するが、本実施例では設定ウィンドウはＯＫボタンとキャンセルボタンを有しており、ユーザが上記２つのボタンのいずれかを選択すると、キャリブレ
ーション設定情報の設定が完了される。
【００３８】
次に、ＵＩ部３０１は、上記２つのボタンのいずれかが選択されたことに応じて（設定を完了する操作に応じて）、設定ウィンドウを消去する（閉じる）（Ｓ４０４）。
そして、ＵＩ部３０１は、Ｓ４０３でＯＫボタンが選択された場合に（Ｓ４０５：ＹＥＳ）、設定されたキャリブレーション設定情報に基づいて次回の定期キャリブレーション実行日時を算出する（Ｓ４０６）。
次に、ＵＩ部３０１は、Ｓ４０６で算出した次回の定期キャリブレーション実行日時を含むキャリブレーション設定情報をキャリブレーション設定管理部３０２に出力する（Ｓ４０７）。それにより、キャリブレーション設定情報が保存（更新）される。そして、ＵＩ部３０１は、処理を終了する。
また、ＵＩ部３０１は、Ｓ４０３でキャンセルボタンが選択された場合に（Ｓ４０５：ＮＯ）、処理を終了する。
【００３９】
図５は、設定ウィンドウの一例を示す図である。
設定ウィンドウ５０１は、ラジオボタン５０２〜５０４，５１０，５１１、リストボックス５０５、テキストボックス５０６〜５０９、ＯＫボタン５１２、キャンセルボタン５１３などを有する。
【００４０】
ラジオボタン５０２〜５０４は、定期キャリブレーションの実行頻度として、毎日、毎週、毎月のいずれかを設定するためのラジオボタンである。リストボックス５０５は、定期キャリブレーションを実行する曜日を設定するためのリストボックスである。テキストボックス５０６は、定期キャリブレーションを実行する日付を設定するためのリストボックスである。テキストボックス５０７，５０８は、定期キャリブレーションを実行する時刻を設定するためのテキストボックスである。
【００４１】
ラジオボタン５０２を選択すると、毎日定期キャリブレーションが実行される。
ラジオボタン５０３を選択すると、リストボックス５０５が有効になり、リストボックス５０５で選択した曜日に毎週定期キャリブレーションが実行される。
ラジオボタン５０４を選択すると、テキストボックス５０６が有効になり、テキストボックス５０６に入力した日付に毎月定期キャリブレーションが実行される。
なお、定期キャリブレーションは、テキストボックス５０７，５０８に入力された時刻に行われる。
図５の場合、定期キャリブレーションは毎日１２時１５分に実行される。
【００４２】
テキストボックス５０９は、定期キャリブレーション実行時の目標最大輝度値を設定するためのテキストボックスである。図５の場合、定期キャリブレーション実行時の目標最大輝度値は３００ｃｄ／ｍ２に設定されている。
【００４３】
ラジオボタン５１０，５１１は、定期キャリブレーション実行時の目標階調カーブを設定するためのラジオボタンである。ラジオボタン５１０を選択すると、目標階調カーブは、ＤＩＣＯＭ  ＧＳＤＦに設定され、ラジオボタン５１１を選択すると、目標階調カーブはγ２．２に設定される。図５の場合、目標階調カーブはＤＩＣＯＭ  ＧＳＤＦに設定されている。なお、目標階調カーブの詳細は本発明の主旨ではないため、説明を省略する。なお、設定された目標最大輝度値と目標階調カーブは、定期キャリブレーション実行時に限らず、単体キャリブレーションや連携キャリブレーションを実行する際に用いられる。
【００４４】
ＯＫボタン５１２、キャンセルボタン５１３は、キャリブレーション設定情報の設定を完了するためのボタンである。
ＯＫボタン５１２が選択された場合には、設定ウィンドウで示されているキャリブレー
ション設定情報が保存されて、キャリブレーション設定情報の設定が完了される。この時、ＵＩ部３０１に、ＯＫボタンが選択されたことが通知される。
キャンセルボタン５１３が選択された場合には、設定ウィンドウで示されているキャリブレーション設定情報の保存は行われずに、キャリブレーション設定情報の設定が完了される。即ち、キャンセルボタン５１３を選択してキャリブレーション設定情報の設定が完了された場合には、上記設定ウィンドウを表示してから行われた実行頻度や目標最大輝度値などの変更は無効とされる。また、この時、ＵＩ部３０１に、キャンセルボタンが選択されたこと（ＯＫボタンが選択されなかったこと）が通知される。
【００４５】
図６Ａは、キャリブレーション実行制御部３０３による定期キャリブレーション（定期キャリブレーション実行処理）の流れの一例を示すフローチャートである。キャリブレーション実行制御部３０３は、表示装置１００の起動後に、図６Ａのフローチャートの処理を定期的に実行する。
【００４６】
まず、キャリブレーション実行制御部３０３は、キャリブレーション設定管理部３０２からキャリブレーション設定情報を取得する（Ｓ６０１）。
次に、キャリブレーション実行制御部３０３は、現在時刻（時刻Ｔａ）と、Ｓ６０１で取得されたキャリブレーション設定情報に含まれる、次回の定期キャリブレーションの実行日時（時刻Ｔｂ）とを比較する（Ｓ６０２）。
【００４７】
そして、現在時刻が次回の定期キャリブレーションの実行日時以降であった場合には（Ｓ６０３：ＹＥＳ）、キャリブレーション実行制御部３０３は、定期キャリブレーションを実行する必要があると判断し、Ｓ６０４へ処理を進める。一方、現在時刻が次回の定期キャリブレーションの実行日時より前の場合には（Ｓ６０３：ＮＯ）、キャリブレーション実行制御部３０３は処理を終了する。
【００４８】
Ｓ６０４では、キャリブレーション実行制御部３０３は、単体キャリブレーション実行済みフラグをオフに初期化し、キャリブレーション結果管理部３０５に出力する。
次に、キャリブレーション実行制御部３０３は、単体キャリブレーションを実行する（Ｓ６０５）。単体キャリブレーションのフローチャートは後述する。
【００４９】
そして、キャリブレーション実行制御部３０３は、入力有無検出部３１１から、入力有無情報を取得する（Ｓ６０６）。
外部入力画像信号が入力されている場合には（Ｓ６０７：ＹＥＳ）、キャリブレーション実行制御部３０３は、引き続き連携キャリブレーションを実行する（Ｓ６０８）。連携キャリブレーションのフローチャートは後述する。外部入力画像信号が入力されていない場合には（Ｓ６０７：ＮＯ）、キャリブレーション実行制御部３０３は、単体キャリブレーション実行済みフラグをオンにして、キャリブレーション結果管理部３０５に出力する（Ｓ６０９）。
【００５０】
最後に（Ｓ６０８またはＳ６０９の次に）、キャリブレーション実行制御部３０３は、キャリブレーション設定情報に基づいて次回の定期キャリブレーションの実行日時を算出する。そして、キャリブレーション実行制御部３０３は、キャリブレーション設定情報に含まれる次回の定期キャリブレーションの実行日時を更新して、キャリブレーション設定情報をキャリブレーション設定管理部３０２に出力する（Ｓ６１０）。
なお、図６Ａの代わりに、図６Ｂに示すフローチャートの処理を行うようにしてもよい。具体的には、Ｓ１６０６で、キャリブレーション実行制御部３０３は、連携キャリブレーションの対象であるＰＣ１０１と通信を行う。続いて、S１６０７で、キャリブレーシ
ョン実行制御部３０３は、ＰＣ１０１に連携キャリブレーションが実行可能か否か問い合わせ、連携キャリブレーションが実行可能か否かを判定する。例えば、表示装置１００と
ＰＣ１０１とが遠距離のため通信できない環境である場合は、連携キャリブレーションが実行可能でないと判定される。また、表示装置１００とＰＣ１０１とが通信可能な環境であり、ＰＣ１０１が連携キャリブレーションが実行可能であるとの応答を、キャリブレーション実行制御部３０３がＰＣ１０１から受信できた場合は、連携キャリブレーションが実行可能であると判定される。
【００５１】
図７は、キャリブレーション実行制御部３０３による単体キャリブレーションの流れの一例を示すフローチャートである。
まず、キャリブレーション実行制御部３０３は、表示制御部３０６に対して画質調整パラメータの初期化を要求し、バックライト制御部３０７に対してバックライト発光パラメータの初期化を要求する（Ｓ７０１）。その結果、画像を表示する際に、画像処理回路２０５とバックライト制御回路２０７でパラメータの初期値が使用される。
【００５２】
次に、キャリブレーション実行制御部３０３は、所定のパッチ画像数分、Ｓ７０３〜Ｓ７０５の処理を繰り返す（Ｓ７０２）。
まず、キャリブレーション実行制御部３０３は、表示制御部３０６に内部パッチ信号を出力する（Ｓ７０３）。表示制御部３０６は、現在表示されている画像の信号に、受信した内部パッチ信号を合成することにより合成画像信号を生成し、出力する。それにより、現在表示されている画像に内部パッチ画像が重畳された画像が表示される。また、このとき、キャリブレーション実行制御部３０３は、測定要求信号を測色部３０８へ出力する。それにより、輝度・色度センサ２１０で上記内部パッチ画像の輝度及び色度が測定され、測定結果が測色部３０８で取得される。
次に、キャリブレーション実行制御部３０３は、測色部３０８から、表示された内部パッチ画像の輝度及び色度を取得する（Ｓ７０４）。
そして、Ｓ７０２へ処理が戻される（Ｓ７０５）。
【００５３】
所定のパッチ画像数分、Ｓ７０３〜Ｓ７０５の処理が繰り返された後、Ｓ７０６へ処理が進められる。
Ｓ７０６では、キャリブレーション実行制御部３０３は、取得した各パッチ画像の輝度及び色度、目標最大輝度値、目標階調カーブに基づいて、画質調整パラメータとバックライト発光パラメータを算出する。
次に、キャリブレーション実行制御部３０３は、Ｓ７０６で算出した画質調整パラメータ、バックライト発光パラメータを、それぞれ、表示制御部３０６、バックライト制御部３０７に出力する。それにより、Ｓ７０６で算出されたパラメータが仮設定され、該仮設定されたパラメータを使用して画像が表示される（Ｓ７０７）。
【００５４】
そして、キャリブレーション実行制御部３０３は、所定のパッチ画像数分、Ｓ７０９〜Ｓ７１１の処理を繰り返す（Ｓ７０８）。Ｓ７０９〜Ｓ７１１の処理はＳ７０３〜Ｓ７０５の処理と同様のため、その説明は省略する。
【００５５】
所定のパッチ画像数分、Ｓ７０９〜Ｓ７１１の処理が繰り返された後、Ｓ７１２へ処理が進められる。
Ｓ７１２では、キャリブレーション実行制御部３０３は、Ｓ７１０で取得された測定結果（輝度及び色度）を評価する。具体的には、キャリブレーション実行制御部３０３は、Ｓ７１０で取得された各パッチ画像の輝度及び色度が、目標最大輝度値、目標階調カーブに基づく値（目標値）に対して所定の誤差範囲内に収まっているか否かを判定する。
【００５６】
各パッチ画像の測定結果が全て目標値に対して所定の誤差範囲内に収まっている場合には、キャリブレーション実行制御部３０３は、単体キャリブレーションが完了したと判断し（Ｓ７１３：ＹＥＳ）、処理をＳ７１４へ進める。Ｓ７１４では、キャリブレーション
実行制御部３０３は、Ｓ７０６で算出した画質調整パラメータとバックライト発光パラメータをパラメータ管理部３０４に出力し、単体表示画像用のパラメータとして記録する（Ｓ７１４）。
目標値に対して所定の誤差範囲内に収まっていない測定結果がある場合には、キャリブレーション実行制御部３０３は、単体キャリブレーションを続ける必要があると判断し（Ｓ７１３：ＮＯ）、処理をＳ７１５へ進める。Ｓ７１５では、キャリブレーション実行制御部３０３は、画質調整パラメータとバックライト発光パラメータを微調整する。そして、Ｓ７０７へ処理が戻される。所定の回数以上微調整を行っても目標値に対して所定の誤差範囲内に収まらない測定結果がある場合には、単体キャリブレーションが完了したと判断され（Ｓ７１３：ＹＥＳ）、Ｓ７１４へ処理が進められる。
【００５７】
図８は、キャリブレーション実行制御部３０３による連携キャリブレーションの流れの一例を示すフローチャートである。
まず、キャリブレーション実行制御部３０３は、表示制御部３０６に対して画像入力部３０９が出力する外部入力画像信号に基づく外部入力画像を表示するように要求する（Ｓ８０１）。表示制御部３０６は、該要求を受信すると、画像入力部３０９が出力する外部入力画像信号を選択して出力する。
なお、表示装置１００は、メモリ２０２若しくは不揮発性メモリ２０３内に連携キャリブレーションの対象であるＰＣ１０１のＩＤ情報を予め記憶しているものとする。キャリブレーション実行制御部３０３は、予め記憶しているＩＤ情報を読み出し、連携キャリブレーションの対象であるＰＣ１０１と通信を行い、表示制御部３０６に対して要求コマンドを送る。
【００５８】
次に、キャリブレーション実行制御部３０３は、単体キャリブレーションの場合と同様に、表示制御部３０６に対して画質調整パラメータの初期化を要求し、バックライト制御部３０７に対してバックライト発光パラメータの初期化を要求する（Ｓ８０２）。その結果、画像を表示する際に、画像処理回路２０５とバックライト制御回路２０７でパラメータの初期値が使用される。
【００５９】
次に、キャリブレーション実行制御部３０３は、所定のパッチ画像数分、Ｓ８０４〜Ｓ８０７の処理を繰り返す（Ｓ８０３）。
まず、キャリブレーション実行制御部３０３は、ＰＣ通信部３１０にパッチ送信要求信号を送信する（Ｓ８０４）。それにより、ＰＣ通信部３１０からＰＣ１０１へパッチ送信要求信号が送信される。
次に、キャリブレーション実行制御部３０３は、画像入力部３０９がＰＣ１０１から外部パッチ信号を受信し、ＰＣ通信部３１０がＰＣ１０１からパッチ送信完了信号を受信するまで待機する（Ｓ８０５）。外部パッチ信号の受信が完了すると、ＰＣ通信部３１０でパッチ送信完了信号が受信され、ＰＣ通信部３１０からキャリブレーション実行制御部３０３へパッチ送信完了信号が送信される。このとき、（Ｓ８０１の処理により）表示制御部３０６では画像入力部３０９が出力する外部入力画像信号（外部パッチ信号を含む）が選択されている。そのため、ＰＣ１０１から外部パッチ信号が受信されると、画面にＰＣ１０１から出力された外部パッチ信号に基づく外部パッチ画像が表示される。
キャリブレーション実行制御部３０３は、パッチ送信完了信号を受信すると、測定要求信号を測色部３０８へ出力する。それにより、輝度・色度センサ２１０で上記外部パッチ画像の輝度及び色度が測定され、測定結果が測色部３０８で取得される。そして、キャリブレーション実行制御部３０３は、測色部３０８から、表示された外部パッチ画像の輝度及び色度を取得する（Ｓ８０６）。
そして、Ｓ８０３へ処理が戻される（Ｓ８０７）。
【００６０】
所定のパッチ画像数分、Ｓ８０４〜Ｓ８０７の処理が繰り返された後、Ｓ８０８へ処理
が進められる。
Ｓ８０８では、キャリブレーション実行制御部３０３は、取得した各パッチ画像の輝度及び色度、目標最大輝度値、目標階調カーブに基づいて、画質調整パラメータとバックライト発光パラメータを算出する。
次に、キャリブレーション実行制御部３０３は、Ｓ８０８で算出した画質調整パラメータ、バックライト発光パラメータを、それぞれ、表示制御部３０６、バックライト制御部３０７に出力する。それにより、Ｓ８０８で算出されたパラメータが仮設定され、該仮設定されたパラメータを使用して画像が表示される（Ｓ８０９）。
【００６１】
そして、キャリブレーション実行制御部３０３は、所定のパッチ画像数分、Ｓ８１１〜Ｓ８１４の処理を繰り返す（Ｓ８１０）。Ｓ８１１〜Ｓ８１４の処理はＳ８０４〜Ｓ８０７の処理と同様のため、その説明は省略する。
【００６２】
所定のパッチ画像数分、Ｓ８１１〜Ｓ８１４の処理が繰り返された後、Ｓ８１５へ処理が進められる。
Ｓ８１５では、キャリブレーション実行制御部３０３は、Ｓ８１３で取得された測定結果（輝度及び色度）を評価する。具体的には、キャリブレーション実行制御部３０３は、Ｓ８１３で取得された輝度及び色度が、目標最大輝度値、目標階調カーブに基づく値（目標値）に対して所定の誤差範囲内に収まっているか否かを判定する。
【００６３】
各パッチ画像の測定結果が全て目標値に対して所定の誤差範囲内に収まっている場合には、キャリブレーション実行制御部３０３は、連携キャリブレーションが完了したと判断し（Ｓ８１６：ＹＥＳ）、処理をＳ８１７へ進める。Ｓ８１７では、キャリブレーション実行制御部３０３は、Ｓ８０８で算出した画質調整パラメータとバックライト発光パラメータをパラメータ管理部３０４に出力し、外部入力画像用のパラメータとして記録する（Ｓ８１７）。
目標値に対して所定の誤差範囲内に収まっていない測定結果がある場合には、キャリブレーション実行制御部３０３は、連携キャリブレーションを続ける必要があると判断し（Ｓ８１６：ＮＯ）、処理をＳ８１８へ進める。Ｓ８１８では、キャリブレーション実行制御部３０３は、画質調整パラメータとバックライト発光パラメータを微調整する。そして、Ｓ８０９へ処理が戻される。所定の回数以上微調整を行っても目標値に対して所定の誤差範囲内に収まらない測定結果がある場合には、連携キャリブレーションが完了したと判断され（Ｓ８１６：ＹＥＳ）、Ｓ８１７へ処理が進められる。
【００６４】
なお、本実施例では、各パッチ画像の測定結果が全て目標値に対して所定の誤差範囲内に収まっている場合に、キャリブレーションが完了したと判断されるものとしたが、この構成に限らない。例えば、目標値に対して所定の誤差範囲内に収まっている測定結果の数が所定数以上（全ての測定結果に対して所定の割合以上）の場合に、キャリブレーションが完了したと判断されてもよい。
【００６５】
図９は、定期キャリブレーション実行処理のタイミングとは異なるタイミングで、キャリブレーション実行制御部３０３により実行される不定期キャリブレーション実行処理の流れの一例を示すフローチャートである。具体的には、キャリブレーション実行制御部３０３は、入力検出信号を受信したタイミング（即ち、外部入力画像信号の入力が有ると判定されたタイミング）で、図９の不定期キャリブレーション実行処理を行う。
【００６６】
まず、キャリブレーション実行制御部３０３は、キャリブレーション結果管理部３０５から単体キャリブレーション実行済みフラグを取得する（Ｓ９０１）。
Ｓ９０１で取得した単体キャリブレーション実行済みフラグがオンの場合には（Ｓ９０２：ＹＥＳ）、Ｓ９０３へ処理が進められる。Ｓ９０１で取得した単体キャリブレーショ
ン実行済みフラグがオフの場合には（Ｓ９０２：ＮＯ）、キャリブレーション実行制御部３０３は処理を終了する。
【００６７】
Ｓ９０３では、キャリブレーション実行制御部３０３は、ＵＩ部３０１に連携キャリブレーションを実行するか否かをユーザに確認するための確認ウィンドウの表示を要求する。ＵＩ部３０１は、該要求に応じて、確認ウィンドウの信号を生成して表示制御部３０６に出力する。そして、表示制御部３０６は、現在表示されている画像の信号に確認ウィンドウの信号を合成することにより合成画像信号を生成し、出力する。それにより、現在表示されている画像に確認ウィンドウが重畳された画像が表示される。ユーザは、確認ウィンドウを操作することにより、連携キャリブレーションを実行するか否かを選択することができる。
【００６８】
次に、キャリブレーション実行制御部３０３は、連携キャリブレーションを実行するか否かの選択結果を、ＵＩ部３０１を介して受信する（Ｓ９０４）。
連携キャリブレーションの実行が選択された場合に（Ｓ９０５：ＹＥＳ）、キャリブレーション実行制御部３０３は、キャリブレーション設定管理部３０２からキャリブレーション設定情報を取得する（Ｓ９０６）。そして、キャリブレーション実行制御部３０３は、図８に示す連携キャリブレーションを実行する（Ｓ９０７）。最後に、キャリブレーション実行制御部３０３は、単体キャリブレーション実行済みフラグをオフにして、キャリブレーション結果管理部３０５に出力する（Ｓ９０８）。
連携キャリブレーションの非実行が選択された場合には（Ｓ９０５：ＮＯ）、キャリブレーション実行制御部３０３は、一定時間待機し（Ｓ９０９）、Ｓ９０３へ処理を戻す。
【００６９】
図１０は、単体キャリブレーション及び連携キャリブレーション実行時における表示装置１００の表示画像のイメージ図である。
図１０に示すように、キャリブレーション実行時には、輝度・色度センサ２１０近傍にパッチ画像Ｐ１００１が表示され、パッチ画像の輝度及び色度が輝度・色度センサ２１０で測定される。
【００７０】
図１１は、確認ウィンドウの一例を示す図である。
確認ウィンドウ１１０１は、連携キャリブレーションを実行するか否かを選択するためのボタン１１０２，１１０３を持つ。
ユーザがボタン１１０２を押下した場合、図９のＳ９０５で連携キャリブレーションの実行が選択されたと判定され、ボタン１１０３を押下した場合、図９のＳ９０５で連携キャリブレーションの非実行が選択されたと判定される。
【００７１】
以上述べたように、本実施例によれば、定期的に単体キャリブレーションが実行される。また、定期的に連携キャリブレーションが実行できなかった場合にも、適切なタイミングで連携キャリブレーションが実行される。具体的には、定期キャリブレーションで単体キャリブレーションのみが実行された場合に、次の定期キャリブレーションより前の、外部装置からの画像信号の入力が有ると判定されている期間に、連携キャリブレーションが実行される。即ち、外部装置から入力された画像信号に基づく画像（外部入力画像）とモニタ単体で表示する画像（単体表示画像）との表示特性を適切なタイミングでキャリブレーションすることができる。その結果、単体表示画像と外部入力画像との間で表示特性が異なってしまうことを抑制することができる。
【００７２】
なお、本実施例では、キャリブレーションの目標値が目標最大輝度値と目標階調カーブから得られるものとしたが、目標値は、色温度等、他の値を用いて得られるものであってもよい。また、連携キャリブレーション実行時の目標値をキャリブレーション設定から取得するのではなく、単体キャリブレーションの結果を目標値としてもよい。
【００７３】
なお、本実施例では、不定期キャリブレーション実行処理において、連携キャリブレーションを実行するか否かをユーザに選択させる構成としたが、このような構成でなくてもよい。連携キャリブレーションは自動的に実行されてもよい。例えば、定期キャリブレーションで単体キャリブレーションのみが実行された場合に、次の定期キャリブレーションより前の、外部入力画像信号の入力が有ると判定されたタイミングで、連携キャリブレーションが自動的に実行されてもよい。そのような構成とすれば、外部入力画像を確実に単体表示画像と同じ（近い）表示特性で表示することが可能となる。
【００７４】
また、外部入力画像信号の入力が有っても、外部入力画像を表示しないのであれば、連携キャリブレーションは行う必要はない。そのため、定期キャリブレーションで単体キャリブレーションのみが実行された場合に、次の定期キャリブレーションより前の、外部装置からの画像信号の入力が有ると判定されている期間に、外部装置からの画像信号に基づく画像を表示するユーザ操作に応じて連携キャリブレーションが実行されてもよい。そのような構成とすれば、外部入力画像を確実に単体表示画像と同じ（近い）表示特性で表示することが可能となる。また、外部入力画像を表示しない場合には連携キャリブレーションは実行されないため、処理負荷を低減することができる。
【００７５】
なお、外部パッチ信号は、パッチ画像のみを表す画像信号であってもよいし、パッチ画像以外の画像の領域を含む（一部の領域にパッチ画像を含む）画像を表す画像信号であってもよい。
なお、本実施例では、連携キャリブレーションを実行する際に、表示画像を外部入力画像に切り替える構成としたが、このような構成でなくてもよい。例えば、単体キャリブレーション（Ｓ７０３の処理）の実行時と同様に、表示制御部３０６に、外部パッチ画像（または外部パッチ画像とその近傍）のみを表す画像信号が入力されてもよい。そして、表示制御部３０６が、上記入力された画像信号と現在表示されている画像の信号と合成して合成画像信号を生成し、出力してもよい。即ち、表示画像を切り替えずに、現在表示されている画像（例えば単体表示画像）に外部パッチ画像が重畳された画像が表示されてもよい。
【００７６】
なお、本実施例では、表示装置１００とＰＣ１０１と間の画像信号以外の信号（パッチ送信要求信号やパッチ送信完了信号）の伝送に画像ケーブルを用いたが、画像信号以外の信号は、画像ケーブルとは異なる通信ケーブルを用いて伝送されてもよい。例えば、画像信号以外の信号は、ＵＳＢ（Ｕｎｉｖｅｒｓａｌ  Ｓｅｒｉａｌ  Ｂｕｓ）ケーブルを用いて伝送されてもよい。
なお、本実施例では、表示装置１００、ＰＣ１０１、画像サーバ１０３がネットワークケーブル１０４で互いに接続されるものとしたが、表示装置１００、ＰＣ１０１、画像サーバ１０３は無線で通信可能に接続されてもよい。
なお、本実施例では、表示装置が液晶表示装置である場合の例について説明したが、表示装置はこれに限らない。表示装置は、有機ＥＬ表示装置、プラズマ表示装置などであってもよい。
【００７７】
＜実施例２＞
本実施例では、過去に連携キャリブレーションを実行したか否に基づいて、連携キャリブレーションを実行するか否かを判定する。なお、実施例１と重複する部分については、記述を省略する。
【００７８】
図１２は、本実施例に係る表示装置の機能ブロック図である。なお、実施例１と同様の機能ブロックには同じ符号を付し、その説明は省略する。
キャリブレーション実行制御部３１０３は、図３のキャリブレーション実行制御部３０
３の機能に加えて、過去（前回）の連携キャリブレーションの実行日時に基づいて、連携キャリブレーションを実行するか否かを判定する機能を有する。具体的には、キャリブレーション実行制御部３１０３は、連携キャリブレーションを実行する際に、キャリブレーション結果管理部３１０５から前回の連携キャリブレーションの実行日時を取得する。そして、キャリブレーション実行制御部３１０３は、現在時刻から所定時間前までの期間内に連携キャリブレーションを実行したか否かに基づいて連携キャリブレーションを実行するか否かを判定する。該判定処理の詳細については後述する。
また、キャリブレーション実行制御部３１０３は、連携キャリブレーションを実行した際に、その実行日時をキャリブレーション結果管理部３１０５に出力する。
キャリブレーション結果管理部３１０５は、図３のキャリブレーション結果管理部３０５の機能に加えて、不揮発性メモリ２０３からの上記実行日時の読み込みや、不揮発性メモリ２０３への上記実行日時の書き込みを行う機能を有する。
【００７９】
図１３は、キャリブレーション実行制御部３１０３による定期キャリブレーション実行処理の流れの一例を示すフローチャートである。キャリブレーション実行制御部３１０３は、表示装置の起動後に、図１３のフローチャートの処理を定期的に実行する。
【００８０】
まず、キャリブレーション実行制御部３１０３は、キャリブレーション設定管理部３０２からキャリブレーション設定情報を取得する（Ｓ１４０１）。
次に、キャリブレーション実行制御部３１０３は、現在時刻（時刻Ｔａ）と、Ｓ１４０１で取得されたキャリブレーション設定情報に含まれる、次回の定期キャリブレーションの実行日時（時刻Ｔｂ）とを比較する（Ｓ１４０２）。
【００８１】
そして、現在時刻が次回の定期キャリブレーションの実行日時以降であった場合には（Ｓ１４０３：ＹＥＳ）、キャリブレーション実行制御部３１０３は、キャリブレーションを実行する必要があると判断し、Ｓ１４０４へ処理を進める。一方、現在時刻が次回の定期キャリブレーションの実行日時より前の場合には（Ｓ１４０３：ＮＯ）、キャリブレーション実行制御部３１０３は処理を終了する。
【００８２】
Ｓ１４０４では、キャリブレーション実行制御部３１０３は、単体キャリブレーション実行済みフラグをオフに初期化し、キャリブレーション結果管理部３１０５に出力する。次に、キャリブレーション実行制御部３１０３は、図７の単体キャリブレーションを実行する（Ｓ１４０５）。
【００８３】
そして、キャリブレーション実行制御部３１０３は、キャリブレーション結果管理部３１０５から前回の連携キャリブレーションの実行日時（時刻Ｔｃ）を取得する（Ｓ１４０６）。なお、過去に連携キャリブレーションが行われていない場合には、上記実行日時は取得されない。
次に、キャリブレーション実行制御部３１０３は、現在時刻（時刻Ｔａ）とＳ１４０６で取得した実行日時（前回の連携キャリブレーションの実行日時；時刻Ｔｃ）とを比較する（Ｓ１４０７）。
【００８４】
そして、現在時刻から所定時間前までの期間内に連携キャリブレーションが実行されていた場合には（Ｓ１４０８：ＹＥＳ）、キャリブレーション実行制御部３１０３は、連携キャリブレーションを実行する必要があると判断し、Ｓ１４０９へ処理を進める。一方、現在時刻から所定時間前までの期間内に連携キャリブレーションが実行されていなかった場合には（Ｓ１４０８：ＮＯ）、キャリブレーション実行制御部３１０３は、連携キャリブレーションを実行する必要がないと判断し、Ｓ１４１３へ処理を進める。即ち、定期キャリブレーションを実行する際に、現在時刻と、最後に連携キャリブレーションを実行した時刻との差が所定時間以上である場合には、単体キャリブレーションのみが実行される
。
【００８５】
Ｓ１４０９では、キャリブレーション実行制御部３１０３は、入力有無検出部３１１から、入力有無情報を取得する。
外部入力画像信号が入力されている場合には（Ｓ１４１０：ＹＥＳ）、キャリブレーション実行制御部３１０３は、引き続き連携キャリブレーションを実行する（Ｓ１４１１）。連携キャリブレーションのフローチャートは後述する。外部入力画像信号が入力されていない場合には（Ｓ１４１０：ＮＯ）、キャリブレーション実行制御部３１０３は、単体キャリブレーション実行済みフラグをオンにして、キャリブレーション結果管理部３１０５に出力する（Ｓ１４１２）。
【００８６】
最後に（Ｓ１４１１またはＳ１４１２の次に）、キャリブレーション実行制御部３０３は、キャリブレーション設定情報に基づいて次回の定期キャリブレーションの実行日時を算出する。そして、キャリブレーション実行制御部３１０３は、キャリブレーション設定情報に含まれる次回の定期キャリブレーションの実行日時を更新して、キャリブレーション設定情報をキャリブレーション設定管理部３０２に出力する（Ｓ１４１３）。
【００８７】
図１４は、キャリブレーション実行制御部３１０３による連携キャリブレーションの流れの一例を示すフローチャートである。
まず、キャリブレーション実行制御部３１０３は、図８のフローに従って種々の処理を行う（Ｓ１５０１）。即ち、キャリブレーション実行制御部３１０３は、実施例１の連携キャリブレーションを実行する。
そして、キャリブレーション実行制御部３１０３は、Ｓ１５０１の処理の実行日時（即ち、現在時刻）を連携キャリブレーションの実行日時としてキャリブレーション結果管理部３１０５に出力する（Ｓ１５０２）。それにより、Ｓ１５０１の処理の実行日時が、前回の連携キャリブレーションの実行日時として、不揮発性メモリ２０３に記録される（前回の連携キャリブレーションの実行日時が更新される）。
【００８８】
以上述べたように、本実施例によれば、過去に連携キャリブレーションを実行したか否に基づいて、連携キャリブレーションが実行される。具体的には、定期キャリブレーションを実行する際に、現在時刻と、最後に連携キャリブレーションを実行した時刻との差が所定時間以上である場合には、単体キャリブレーションのみが実行される。最後に連携キャリブレーションを実行した時刻が現在時刻より所定時間以上前の時刻である場合には、表示装置はスタンドアロンで使用されている可能性が高い。表示装置がスタンドアロンで使用されている場合には、外部入力画像は表示されないため、連携キャリブレーションを行う必要はない。本実施例では、上記構成により、表示装置をスタンドアロンで使用している可能性が高い場合に、定期キャリブレーションで実行される連携キャリブレーションが省略されるため、処理負荷を低減することができる。
【００８９】
＜実施例３＞
本実施例では、他の装置から表示装置に定期キャリブレーションの実行が指示される例について説明する。以下では、管理サーバから表示装置に定期キャリブレーションの実行が指示される場合について説明する。なお、実施例１，２と重複する部分については、記述を省略する。
【００９０】
図１５は、本実施例に係る表示システムの一例を示す図である。図１５に示すように、本実施例に係る表示システムは、図１の構成に加えて、管理サーバ１６０１を更に有する。
管理サーバ１６０１は、ネットワークケーブル１０４を用いて表示装置１１０に接続されている。そして、管理サーバ１６０１は、ユーザ（管理サーバのユーザ）の操作に応じ
て、表示装置１１０へキャリブレーション実行要求信号を送信する。キャリブレーション実行要求信号は、キャリブレーションの実行の要求を示す信号である。また、管理サーバ１６０１は、キャリブレーション実行要求信号を送信する際に、キャリブレーション設定情報を併せて送信する。
管理サーバ１６０１のユーザは、例えば、定期的に（所定のスケジュールに従って）、表示装置１１０へキャリブレーション実行要求信号を送信する操作を行う。
【００９１】
図１６は、表示装置１１０のハードウェアブロック図の一例である。なお、実施例１と同様のハードウェアブロックには同じ符号を付し、その説明は省略する。
図２のＣＰＵ２０１では、不揮発性メモリ２０３に記録されたキャリブレーション設定情報に基づいて定期キャリブレーションが実行されるものとした。一方、ＣＰＵ２１０１は、管理サーバ１６０１からのキャリブレーション実行要求信号の受信に応じて定期キャリブレーションを実行する。ここで、キャリブレーション実行要求信号は、ネットワーク通信回路２１１２を介して受信される。なお、ＣＰＵ２１０１は、上記機能の他にＣＰＵ２０１と同様の機能を有する。
ネットワーク通信回路２１１２は、図２のネットワーク通信回路２１２の機能に加えて、管理サーバ１６０１からキャリブレーション実行要求信号を受信し、ＣＰＵ２０１に送信する機能を有する。
【００９２】
図１７は、表示装置１１０の機能ブロック図である。
キャリブレーション設定管理部３１０２は、キャリブレーション実行制御部３２０３からの要求に基づいて、不揮発性メモリ２０３からキャリブレーション設定情報を読み込み、キャリブレーション実行制御部３２０３に出力する。また、キャリブレーション設定管理部３１０２は、ネットワーク通信部３１１３を介して管理サーバ１６０１から受信したキャリブレーション設定情報を、不揮発性メモリ２０３に記録（上書き）する。
【００９３】
図３のキャリブレーション実行制御部３０３では、ユーザが設定したスケジュールに従って定期キャリブレーションが実行されるものとした。一方、キャリブレーション実行制御部３２０３は、キャリブレーション実行要求信号の受信に応じて、定期キャリブレーションを実行する。なお、キャリブレーション実行制御部３２０３は、上記機能の他にキャリブレーション実行制御部３０３と同様の機能を有する。
【００９４】
ネットワーク通信部３１１３は、管理サーバ１６０１からキャリブレーション実行要求信号およびキャリブレーション設定情報を受信する。そして、ネットワーク通信部３１１３は、受信したキャリブレーション実行要求信号をキャリブレーション実行制御部３２０３に出力し、受信したキャリブレーション設定情報をキャリブレーション設定管理部３１０２に出力する。なお、ネットワーク通信部３１１３は、上記機能の他に図３のネットワーク通信部３１３と同様の機能を有する。
【００９５】
なお、図１７のキャリブレーション設定管理部３１０２、キャリブレーション実行制御部３２０３、ネットワーク通信部３１１３、及び、ＵＩ部３０１〜単体表示画像表示制御部３１２の処理は、ＣＰＵ２１０１により実行される。
【００９６】
図１８は、キャリブレーション設定情報及びキャリブレーション実行要求信号を送信する際に管理サーバに表示される画像（キャリブレーション実行要求画像）の一例を示すイメージ図である。
キャリブレーション実行要求画像１９０１は、チェックボックス１９０２〜１９０４、テキストボックス１９０５、ラジオボタン１９０６〜１９０７、実行要求ボタン１９０８、キャンセルボタン１９０９などを有する。
【００９７】
チェックボックス１９０２〜１９０４は、キャリブレーション実行要求信号の送信対象の表示装置を設定するためのチェックボックスである。チェックボックス１９０２が選択されている場合には表示装置１が、チェックボックス１９０３が選択されている場合には表示装置２が、チェックボックス１９０４が選択されている場合には表示装置３がキャリブレーション実行要求信号の送信対象とされる。図１８の場合、表示装置２がキャリブレーション実行要求信号の送信対象とされる。
【００９８】
テキストボックス１９０５は、キャリブレーション実行時の目標最大輝度を設定するためのテキストボックスである。図１８の場合、キャリブレーション実行時の目標最大輝度値は３００ｃｄ／ｍ２に設定されている。
【００９９】
ラジオボタン１９０６，１９０７は、キャリブレーション実行時の目標階調カーブを設定するためのラジオボタンである。ラジオボタン１９０６を選択すると、目標階調カーブは、ＤＩＣＯＭ  ＧＳＤＦに設定され、ラジオボタン１９０７を選択すると、目標階調カーブはγ２．２に設定される。図１８の場合、目標階調カーブはＤＩＣＯＭ  ＧＳＤＦに設定されている。なお、目標階調カーブの詳細は本発明の主旨ではないため、説明を省略する。
【０１００】
実行要求ボタン１９０８は、ユーザが、上記送信対象の表示装置にキャリブレーション実行要求信号及びキャリブレーション設定情報の送信する場合に選択するボタンである。ユーザにより実行要求ボタン１９０８が選択されると、管理サーバは、送信対象として選択された表示装置に、キャリブレーション設定情報とキャリブレーション実行要求信号を送信する。それにより、上記送信対象の表示装置で、設定されたキャリブレーション設定情報に基づいた定期キャリブレーションが行われる。
キャンセルボタン１９０９は、ユーザが、キャリブレーション実行要求信号及びキャリブレーション設定情報を送信しない場合に選択するボタンである。ユーザによりキャンセルボタン１９０９が選択されると、管理サーバは、キャリブレーション実行要求信号及びキャリブレーション設定情報の送信を行わず、キャリブレーション実行要求画像を消去する（閉じる）。
【０１０１】
なお、キャリブレーション実行要求画像は、所定のスケジュールに従って定期的に表示されてもよいし、管理サーバのユーザの操作に応じて表示されてもよい。
また、図９の例では、実行要求ボタン１９０８を選択される度にキャリブレーション設定情報とキャリブレーション実行要求信号の送信が行われるものとしたが、そのような構成でなくてもよい。例えば、キャリブレーション実行要求画像を操作することにより、キャリブレーション設定情報とキャリブレーション実行要求信号の送信スケジュール（即ち、定期キャリブレーションの実行スケジュール）が設定されてもよい。
また、図９の例では、キャリブレーション設定情報として目標値の情報（目標階調カーブや目標最大輝度値）が送信されるものとしたが、キャリブレーション設定情報は目標値の情報以外の情報を含んでいてもよい。例えば、上記送信スケジュールが設定可能な場合には、キャリブレーション設定情報に該送信スケジュールの情報が含まれていてもよい。それにより、表示装置で定期キャリブレーションの実行スケジュールを確認可能とすることができる。
【０１０２】
図１９は、キャリブレーション実行制御部３２０３による定期キャリブレーション実行処理の流れの一例を示すフローチャートである。
【０１０３】
まず、キャリブレーション実行制御部３２０３は、キャリブレーション設定管理部３１０２からキャリブレーション設定情報を取得する（Ｓ２００１）。
次に、キャリブレーション実行制御部３２０３は、単体キャリブレーション実行済みフ
ラグをオフに初期化し、キャリブレーション結果管理部３０５に出力する（Ｓ２００２）。
そして、キャリブレーション実行制御部３２０３は、図７の単体キャリブレーションを実行する（Ｓ２００３）。
【０１０４】
次に、キャリブレーション実行制御部３２０３は、入力有無検出部３１１から、入力有無情報を取得する（Ｓ２００４）。
外部入力画像信号が入力されている場合には（Ｓ２００５：ＹＥＳ）、キャリブレーション実行制御部３２０３は、引き続き図８の連携キャリブレーションを実行する（Ｓ２００６）。外部入力画像信号が入力されていない場合には（Ｓ２００５：ＮＯ）、キャリブレーション実行制御部３２０３は、単体キャリブレーション実行済みフラグをオンにして、キャリブレーション結果管理部３０５に出力する（Ｓ２００７）。
【０１０５】
以上述べたように、本実施例によれば、他の装置から定期キャリブレーションの実行指示がされた場合であっても、実施例１と同様に、単体表示画像と外部入力画像の表示特性を適切なタイミングでキャリブレーションすることができる。その結果、単体表示画像と外部入力画像との間で表示特性が異なってしまうことを抑制することができる。
【０１０６】
なお、本実施例では画像サーバ１０３と管理サーバ１６０１を別の装置としたが、画像サーバ１０３と管理サーバ１６０１が同じ装置であってもよい。
なお、本実施例では、管理サーバ１６０１から表示装置１００に定期キャリブレーションの実行が指示される場合について説明したが、定期キャリブレーションの実行指示は管理サーバ１６０１以外の装置が行ってもよい。定期キャリブレーションの実行指示は、表示装置１１０以外の装置であれば、どのような装置が行ってもよい。例えば、ＰＣ１０１が行ってもよい。
なお、定期キャリブレーションを実行する際に、実施例２と同様に、過去に連携キャリブレーションを実行したか否に基づいて、連携キャリブレーションを実行するか否かが判定されてもよい。それにより、実施例２と同様に処理負荷を低減することができる。
【符号の説明】
【０１０７】
１００，１１０  表示装置
３０３，３１０３，３２０３  キャリブレーション実行制御部
３１１  入力有無検出部
【図１】
0005972013.tif 000002
【図２】
0005972013.tif 000003
【図３】
0005972013.tif 000004
【図４】
0005972013.tif 000005
【図５】
0005972013.tif 000006
【図６Ａ】
0005972013.tif 000007
【図６Ｂ】
0005972013.tif 000008
【図７】
0005972013.tif 000009
【図８】
0005972013.tif 000010
【図９】
0005972013.tif 000011
【図１０】
0005972013.tif 000012
【図１１】
0005972013.tif 000013
【図１２】
0005972013.tif 000014
【図１３】
0005972013.tif 000015
【図１４】
0005972013.tif 000016
【図１５】
0005972013.tif 000017
【図１６】
0005972013.tif 000018
【図１７】
0005972013.tif 000019
【図１８】
0005972013.tif 000020
【図１９】
0005972013.tif 000021